(57)【要約】【課題】雄端子の挿入力の低減と接触抵抗の安定を両立できる雌端子を提供する。【解決手段】平板状のタブを有する雄端子が挿入接続される端子接続部１２と電線端末の電線導体が接続される電線接続部１４とを備え、端子接続部１２には、雄端子の平板状のタブに弾性接触する弾性接触片１６と、弾性接触片１６に相対して弾性接触片１６との間で雄端子の平板状のタブを挟持する押え部１８と、が設けられ、押え部１８は、雄端子が挿入される開口部を有する先端側と反対側の後端側において弾性接触片１６側に平面状に突出して雄端子の平板状のタブに面接触する平面部１８ａと、弾性接触片１６側に突出するとともに平面部１８ａの先端側端部１８１ａから雄端子の挿入方向先端側に向かって延びて雄端子の平板状のタブにそれぞれが接触する複数の突条部１８ｂと、により構成されている雌端子１０とする。【選択図】図２
2015046271.tif 000002
【特許請求の範囲】
【請求項１】
平板状のタブを有する雄端子が挿入接続される端子接続部と電線端末の電線導体が接続される電線接続部とを備え、
前記端子接続部には、前記雄端子の平板状のタブに弾性接触する弾性接触片と、該弾性接触片に相対して該弾性接触片との間で前記雄端子の平板状のタブを挟持する押え部と、が設けられ、
前記押え部は、前記雄端子が挿入される開口部を有する先端側と反対側の後端側において前記弾性接触片側に平面状に突出して前記雄端子の平板状のタブに面接触する平面部と、前記弾性接触片側に突出するとともに前記平面部の先端側端部から前記雄端子の挿入方向先端側に向かって延びて前記雄端子の平板状のタブにそれぞれが接触する複数の突条部と、により構成されていることを特徴とする雌端子。
【請求項２】
前記平面部の先端側端部の位置が、前記弾性接触片の接点の位置よりも前記雄端子の挿入方向後端側にあることを特徴とする請求項１に記載の雌端子。
【請求項３】
前記複数の突条部のそれぞれは、幅方向の断面が円弧状に形成されて、前記雄端子の平板状のタブに対して前記雄端子の挿入方向に線接触することを特徴とする請求項１または２に記載の雌端子。
【請求項４】
前記複数の突条部は、幅方向の中央位置を外した位置に形成されていることを特徴とする請求項１から３のいずれか１項に記載の雌端子。
【請求項５】
前記複数の突条部は、前記平面部の先端側端部の幅方向両端から前記雄端子の挿入方向先端側に向かって延びていることを特徴とする請求項１から４のいずれか１項に記載の雌端子。
【発明の詳細な説明】
【技術分野】
【０００１】
本発明は、雌端子に関し、さらに詳しくは、平板状のタブを有する雄端子が挿入接続される端子接続部を有する雌端子に関するものである。
【背景技術】
【０００２】
雄端子が挿入接続される雌端子としては、舌片状のばね接点を有するものが知られている。例えば特許文献１には、雄端子が挿入される角筒状の端子本体部の底壁の前端から後方へ折り返されて片持ち状に支持されるバネ舌片が端子本体部に設けられたものが示されている。そして、図８（ａ）に示すように、そのバネ舌片に相対する天井壁４２ｄには、挿入された雄端子をバネ舌片とともに挟持する部分となる押え部４８がバネ舌片側に張り出している。押え部４８は、バネ舌片側に平面状に突出しており、雄端子に対して面当たりする。
【先行技術文献】
【特許文献】
【０００３】
【特許文献１】実開平０１−６３０７７号公報
【特許文献２】特開２００３−３３１９６８号公報
【発明の概要】
【発明が解決しようとする課題】
【０００４】
挿入された雄端子をバネ舌片とともに挟持する押え部が特許文献１のように平面形状であると、雄端子の挿入過程で生じる摩擦抵抗が大きく、雄端子の挿入力が高いという問題が生じる。この問題を解消するために、特許文献２では、天井壁の前端側に点接触部を設け、後端側に幅方向に沿って線接触する線接触部を設けている。しかし、このような構成では、雄端子と接触する天井壁の面積が小さくなるため、接触抵抗が安定しないおそれがある。
【０００５】
本発明の解決しようとする課題は、雄端子の挿入力の低減と接触抵抗の安定を両立できる雌端子を提供することにある。
【課題を解決するための手段】
【０００６】
上記課題を解決するため本発明に係る雌端子は、平板状のタブを有する雄端子が挿入接続される端子接続部と電線端末の電線導体が接続される電線接続部とを備え、前記端子接続部には、前記雄端子の平板状のタブに弾性接触する弾性接触片と、該弾性接触片に相対して該弾性接触片との間で前記雄端子の平板状のタブを挟持する押え部と、が設けられ、前記押え部は、前記雄端子が挿入される開口部を有する先端側と反対側の後端側において前記弾性接触片側に平面状に突出して前記雄端子の平板状のタブに面接触する平面部と、前記弾性接触片側に突出するとともに前記平面部の先端側端部から前記雄端子の挿入方向先端側に向かって延びて前記雄端子の平板状のタブにそれぞれが接触する複数の突条部と、により構成されていることを要旨とするものである。
【０００７】
この場合、前記平面部の先端側端部の位置が、前記弾性接触片の接点の位置よりも前記雄端子の挿入方向後端側にあることが好ましい。
【０００８】
また、前記複数の突条部のそれぞれは、幅方向の断面が円弧状に形成されて、前記雄端子の平板状のタブに対して前記雄端子の挿入方向に線接触することが好ましい。
【０００９】
また、前記複数の突条部は、幅方向の中央位置を外した位置に形成されていることが好ましい。
【００１０】
また、前記複数の突条部は、前記平面部の先端側端部の幅方向両端から前記雄端子の挿入方向先端側に向かって延びていることが好ましい。
【発明の効果】
【００１１】
本発明に係る雌端子によれば、弾性接触片と押え部の間に雄端子の平板状のタブが挿入されたときに、弾性接触片と押え部により雄端子の平板状のタブが挟持される。押え部において、雄端子の挿入方向先端側には複数の突条部が形成されており、複数の突条部が雄端子の平板状のタブに最初に接触する。突条部と突条部の間は雄端子の平板状のタブに接触しない部分となるため、幅方向全体で雄端子の平板状のタブに接触する平面形状の従来の押え部と比べて、初期における雄端子の挿入力を低減することができる。そして、雄端子の挿入方向後端側には、複数の突条部につながって平面部が形成されており、雄端子の平板状のタブは、複数の突条部に接触した後、この平面部に面接触する。面接触する平面部では接触面積が大きいため、接触抵抗が安定する。押え部の複数の突条部に接触しているときと比べて、平板状のタブが押え部の平面部に面接触するときには挿入力は上がるが、全体が平面部で構成されている押え部と比べて面接触する割合が減るので、後期における雄端子の挿入力を低減することができる。
【００１２】
この場合、押え部の平面部の先端側端部の位置が弾性接触片の接点の位置よりも雄端子の挿入方向後端側にあると、雄端子の平板状のタブが弾性接触片の接点を乗り上げるときには、雄端子の平板状のタブは押え部の平面部ではなく複数の突条部に接触する。雄端子の平板状のタブが弾性接触片の接点に乗り上げるときに挿入力が最も大きくなることから、このような構成であると、幅方向全体で雄端子の平板状のタブに接触する平面形状の従来の押え部と比べて、雄端子の最大挿入力を低減することができる。
【００１３】
そして、複数の突条部のそれぞれが幅方向の断面が円弧状に形成されて、雄端子の平板状のタブに対して雄端子の挿入方向に線接触する構成であると、雄端子の平板状のタブと複数の突条部との間の摩擦力を小さくすることができる。
【００１４】
そして、複数の突条部が幅方向の中央位置を外した位置に形成されていると、雄端子の平板状のタブの合わせ目を外した位置で複数の突条部がタブの表面を摺動するので、雄端子の平板状のタブと複数の突条部との間の摩擦力を小さくすることができる。
【００１５】
そして、複数の突条部が平面部の先端側端部の幅方向両端から雄端子の挿入方向先端側に向かって延びている構成であると、雄端子の平板状のタブの挿入初期からタブの軸線を中心とする回転方向の位置ずれを抑える効果が高く、接触抵抗を安定にする効果が高い。
【図面の簡単な説明】
【００１６】
【図１】本発明の一実施形態に係る雌端子の斜視図である。
【図２】雌端子の天井壁の内側面に形成された押え部を示す斜視図である。
【図３】図１および図２のＡ−Ａ線断面図（ａ）およびＢ−Ｂ線断面図（ｂ）である。
【図４】雄端子のタブの挿入位置と挿入力の関係を示す図である。
【図５】雄端子のタブの各挿入位置１〜３に対応する幅方向断面図（ａ）〜（ｃ）である。
【図６】雄端子のタブの一例を示す斜視図（ａ）とそのＣ−Ｃ線断面図（ｂ）である。
【図７】従来の雌端子の天井壁の内側面に形成された押え部を示す斜視図である。
【発明を実施するための形態】
【００１７】
次に、本発明の実施形態について詳細に説明する。なお、以下では、図３における左方を先方、右方を後方とし、図３における上下方向を雌端子の上下方向として説明する。図１〜３には、本発明の一実施形態に係る雌端子を示す。図１におけるＡ−Ａ線は、後述する押え部の突条部および平面部の両方を通過する線であり、Ｂ−Ｂ線は、後述する押え部の平面部のみを通過する線である。
【００１８】
雌端子１０は、平板状のタブ３０を有する雄端子が挿入接続される端子接続部１２と、電線端末３２の電線導体３４が接続される電線接続部１４と、を備える。雌端子１０は、導電性を有し、プレス加工や打ち抜き加工等が可能な種々の金属材料、例えば、銅、銅合金、アルミニウム、アルミニウム合金などを用いて形成することができる。
【００１９】
雌端子１０は、金属板をプレス打ち抜き加工して所定の展開形状とし、これを折り曲げ加工等することにより形成することができる。雌端子１０の表面には、その一部または全部に金属めっきが施されていてもよい。特に接点１６ｂには、金属めっきが施されていることが好ましい。めっき金属としては、金、銀、錫などを挙げることができる。
【００２０】
端子接続部１２は、先後に開口する角筒状に形成され、先端側の開口部から雄端子の平板状のタブ３０が挿入される。端子接続部１２は、底壁１２ａと、底壁１２ａの両側縁から立ち上がる一対の側壁１２ｂ、１２ｃと、一方の側壁１２ｃの上端縁から折れ曲がって底壁１２ａに相対する天井壁１２ｄと、他方の側壁１２ｂの上端縁から折れ曲がって天井壁１２ｄの上に重ね合わせられた外壁１２ｅと、から構成されている。
【００２１】
底壁１２ａの先端には、雄端子の平板状のタブ３０に弾性接触する弾性接触片１６が延設されており、弾性接触片１６は底壁１２ａの先端で折り返されて底壁１２ａの上に配置され、天井壁１２ｄに相対している。弾性接触片１６は底壁１２ａの先端位置で片持ち状に支持され、その折返部１６ａを支点として上下方向に撓み変形可能となっている。弾性接触片１６の天井壁１２ｄに相対する面には一段盛り上がった接点１６ｂが形成されており、この接点１６ｂにおいて雄端子の平板状のタブ３０が接触する。
【００２２】
天井壁１２ｄには、弾性接触片１６との間で雄端子の平板状のタブ３０を挟持する押え部１８が形成されている。押え部１８は、後端側において弾性接触片１６側に平面状に突出して雄端子の平板状のタブ３０に面接触する平面部１８ａと、平面部１８ａよりも先端側において弾性接触片１６側に突出して雄端子の平板状のタブ３０にそれぞれが接触する複数の突条部１８ｂと、により構成されている。複数の突条部１８ｂのそれぞれは、平面部１８ａの先端側端部１８１ａから雄端子の挿入方向先端側に向かって延びている。
【００２３】
複数の突条部１８ｂは、平面部１８ａの先端側端部１８１ａの幅方向両端から雄端子の挿入方向先端側に向かって延びており、幅方向の中央位置を外した位置に形成されている。また、複数の突条部１８ｂのそれぞれは、幅方向の断面が円弧状に形成されており、雄端子の平板状のタブ３０に対して雄端子の挿入方向に線接触するようになっている。また、複数の突条部１８ｂの接触に関与する頂部と平面部１８ａの面接触に関与する面とは面一であり、突条部１８ｂの先端側端部から平面部１８ａの後端側端部までにかけて段差のない形状となっている。
【００２４】
そして、押え部１８の平面部１８ａの先端側端部１８１ａの位置は、弾性接触片１６の接点１６ｂの位置よりも雄端子の挿入方向後端側に配置されている。
【００２５】
続いて、雌端子１０の作用を説明する。図４には、雌端子１０への雄端子のタブ３０の挿入位置と端子挿入力の関係を示す。また、図５には、雌端子１０への雄端子のタブ３０の挿入位置１〜３に対応する幅方向の断面（（ａ）〜（ｃ））を示す。
【００２６】
タブ３０の挿入位置１では、雌端子１０の端子接続部１２に挿入されたタブ３０が雌端子１０の弾性接触片１６と押え部１８の両方に接触してタブ３０に荷重がかかり始める。タブ３０がさらに挿入されると、弾性接触片１６が下方に押圧され、図４の曲線ａに示すように、タブ３０にかかる荷重が上昇する。タブ３０の挿入位置２では、タブ３０が弾性接触片１６の接点１６ｂを乗り越え、タブ３０にかかる荷重が最大となる。その後、タブ３０にかかる荷重は下がる。タブ３０の挿入位置３では、押え部１８でタブ３０に接触する部分が複数の突条部１８ｂから平面部１８ａに変わる。図５（ａ）（ｂ）に示すように、タブ３０と突条部１８ｂの接触は幅方向において点で接触しており、少なくとも突条部１８ｂと突条部１８ｂの間では接触していない。これに対し、図５（ｃ）に示すように、タブ３０と平面部１８ａの接触は幅方向において線で接触する。このため、タブ３０の挿入位置３を境にタブ３０にかかる荷重が再び上昇する。その後、タブ３０の先端は平面部１８ａを摺動するため、タブ３０にかかる荷重は一定の値となる。タブ３０の挿入位置４では、雌端子１０への雄端子のタブ３０の挿入が完了する。タブ３０の挿入位置４では、タブ３０は平面部１８ａに面接触する。面接触する平面部１８ａでは接触面積が大きいため、接触抵抗が安定する。
【００２７】
図４の曲線ａに対し、曲線ｂは、従来の雌端子への雄端子のタブの挿入位置と端子挿入力の関係を示したものである。図７に示すように、従来の雌端子４０は、天井壁４２ｄに平面状に突出する押え部４８を備えたものである。押え部４８は、雄端子に対して押え部４８全体で面当たりする。
【００２８】
従来の雌端子４０では、タブ３０に対して終始、平面形状の押え部４８が接触する。つまり、従来の雌端子４０では、押え部４８は幅方向全体でタブ３０に接触する。これに対し、本発明に係る雌端子１０では、タブ３０の先端に複数の突条部１８ｂが接触するタブ３０の挿入初期においては、突条部１８ｂと突条部１８ｂの間はタブ３０に接触しない部分となる。したがって、タブ３０の挿入初期では、本発明に係る雌端子１０のほうが従来の雌端子４０よりもタブ３０にかかる荷重が小さくなり、端子挿入力が小さくなる。よって、タブ３０の挿入初期では、曲線ｂは曲線ａよりも上（端子挿入力の大きい側）に描かれる。
【００２９】
そして、タブ３０の先端に平面部１８ａが接触するタブ３０の挿入後期においては、本発明に係る雌端子１０は、従来の雌端子４０と比べて、複数の突条部１８ｂを有する分、押え部の中でタブ３０と面接触する割合が小さい。したがって、タブ３０の挿入後期では、本発明に係る雌端子１０のほうが従来の雌端子４０よりもタブ３０にかかる荷重が小さくなり、端子挿入力が小さくなる。よって、タブ３０の挿入後期でも、曲線ｂは曲線ａよりも上（端子挿入力の大きい側）に描かれる。
【００３０】
さらに、本発明に係る雌端子１０では、押え部１８の平面部１８ａの先端側端部１８１ａの位置が弾性接触片１６の接点１６ｂの位置よりも雄端子の挿入方向後端側にあることで、雄端子の平板状のタブ３０が弾性接触片１６の接点１６ｂを乗り上げるとき（挿入位置２）には、幅方向断面図（図５（ｂ））に示すように、雄端子の平板状のタブ３０は押え部１８の平面部１８ａではなく複数の突条部１８ｂに接触する。したがって、タブ３０に最大荷重がかかる時（挿入位置２）にも、本発明に係る雌端子１０のほうが従来の雌端子４０よりもタブ３０にかかる荷重が小さくなり、雄端子の最大挿入力が小さくなる。
【００３１】
そして、本実施形態においては、複数の突条部１８ｂのそれぞれは、幅方向の断面が円弧状に形成されており、雄端子の平板状のタブ３０に対して雄端子の挿入方向に線接触するようになっている。これにより、雄端子の平板状のタブ３０と複数の突条部１８ｂとの間の摩擦力を小さくすることができ、雄端子の挿入力を低減する効果をより高めることができる。
【００３２】
また、本実施形態においては、複数の突条部１８ｂの接触に関与する頂部と平面部１８ａの面接触に関与する面とは面一であり、突条部１８ｂの先端側端部から平面部１８ａの後端側端部までにかけて段差がない形状となっている。このため、雄端子の平板状のタブ３０はスムーズに押え部１８の上を摺動することとなり、雄端子の挿入力の低減に貢献する。
【００３３】
また、本実施形態においては、複数の突条部１８ｂが平面部１８ａの先端側端部１８１ａの幅方向両端から雄端子の挿入方向先端側に向かって延びている。雄端子の平板状のタブ３０は、平板状であって、幅方向の断面が正方形ではなく長方形（矩形）となる。平板状のタブ３０は、通電する電流の大きさによって幅が広がり、幅広になるにつれてタブ３０の軸線を中心回転方向の位置ずれが生じやすくなる。複数の突条部１８ｂの配置は、雄端子の平板状のタブ３０の挿入初期からタブ３０の軸線を中心とする回転方向の位置ずれを抑える効果が高く、接触抵抗を安定にする効果が高い。
【００３４】
また、本実施形態においては、複数の突条部１８ｂが幅方向の中央位置を外した位置に形成されている。平板状のタブ３０は、図６に示すように、通常、金属板を折り曲げ加工することにより形成され、タブ３０の幅方向の両端で金属板は折り返され、幅方向の中央位置でその両端が合わせられて合わせ目３０ａが形成される。そうすると、雄端子の平板状のタブ３０の合わせ目３０ａを外した位置で複数の突条部１８ｂがタブ３０の表面を摺動するので、雄端子の平板状のタブ３０と複数の突条部１８ｂとの間の摩擦力を小さくすることができる。
【００３５】
以上、本発明の実施の形態について詳細に説明したが、本発明は上記実施の形態に何ら限定されるものではなく、本発明の要旨を逸脱しない範囲で種々の改変が可能である。
【００３６】
例えば上記実施形態において、複数の突条部１８ｂは２つの突条部１８ｂからなるが、雌端子１０の幅の大きさに応じて３つ以上の突条部が設けられていてもよい。また、弾性接触片１６の接点１６ｂは幅方向に１つ設けられたものとして示しているが、雌端子１０の幅の大きさに応じて幅方向に２つ以上の接点が設けられていてもよい。また、本発明において、複数の突条部１８ｂのそれぞれは、幅方向の断面が円弧状に形成されているが、これ以外の形状、例えば角形に形成されていてもよい。
【符号の説明】
【００３７】
１０  雌端子
１２  端子接続部
１４  電線接続部
１６  弾性接触片
１６ｂ  弾性接触片の接点
１８  押え部
１８ａ  突条部
１８ｂ  平面部
３０  雄端子のタブ
【図１】
2015046271.tif 000003
【図２】
2015046271.tif 000004
【図３】
2015046271.tif 000005
【図４】
2015046271.tif 000006
【図５】
2015046271.tif 000007
【図６】
2015046271.tif 000008
【図７】
2015046271.tif 000009